【手続補正書】
【提出日】平成20年7月24日(2008.7.24)
【手続補正１】
【補正対象書類名】明細書
【補正対象項目名】発明の名称
【補正方法】変更
【補正の内容】
【発明の名称】デジタルカメラおよびトリミング設定方法
【手続補正２】
【補正対象書類名】明細書
【補正対象項目名】特許請求の範囲
【補正方法】変更
【補正の内容】
【特許請求の範囲】
【請求項１】  プリンタと通信可能であり、撮像した画像を前記プリンタにより印刷するための制御を行うデジタルカメラであって、
撮像した画像を記録媒体に記録する記録手段と、
前記記録手段に記録されている画像の中から印刷対象の画像を選択する画像選択手段と、
画像を表示するための表示手段と、
トリミング設定が選択された場合に、トリミング領域を示すトリミング枠を前記印刷対象の画像に重ねて前記表示手段に表示させる表示制御手段と、
前記トリミング枠の拡大または縮小を指示するための操作部材と、
決定されたトリミング枠に関するトリミング設定情報を保持する保持手段と、
最大の大きさのトリミング枠を前記表示手段に表示している状態で、トリミング枠拡大のための操作がされた場合は、トリミング設定を解除する制御手段と
を有することを特徴とするデジタルカメラ。
【請求項２】  前記保持手段には、トリミング設定が解除されたかを示す情報を記録可能であり、
前記制御手段は、トリミング設定の解除に応じて、トリミング設定が解除されたことを示す情報を前記保持手段に記録することを特徴とする請求項１に記載のデジタルカメラ。
【請求項３】  前記トリミング設定情報は、トリミング領域を特定するための情報を含み、
前記制御手段は、トリミング設定が解除された場合に、解除前のトリミング設定情報を前記保持手段に保持したままトリミング設定を解除することを特徴とする請求項１または２に記載のデジタルカメラ。
【請求項４】  トリミング解除後にトリミングを再設定する場合、前記表示制御手段は、解除前のトリミング設定情報に対応するトリミング枠を表示させることを特徴とする請求項３に記載のデジタルカメラ。
【請求項５】  記録手段に記録されている画像の中から印刷対象の画像を選択する画像選択工程と、
トリミング設定が選択された場合に、トリミング領域を示すトリミング枠を前記印刷対象の画像に重ねて表示手段に表示させる表示工程と、
決定されたトリミング枠に関するトリミング設定情報を保持手段に保持する保持工程と、
最大の大きさのトリミング枠を前記表示手段に表示している状態で、トリミング枠拡大のための操作がされた場合は、トリミング設定を解除する制御工程と
を有することを特徴とするトリミング設定方法。
【請求項６】  前記保持手段には、トリミング設定が解除されたかを示す情報を記録可能であり、
前記制御工程では、トリミング設定の解除に応じて、トリミング設定が解除されたことを示す情報を前記保持手段に記録することを特徴とする請求項５に記載のトリミング設定方法。
【請求項７】  前記トリミング設定情報は、トリミング領域を特定するための情報を含み、
前記制御工程では、トリミング設定が解除された場合に、解除前のトリミング設定情報を前記保持手段に保持したままトリミング設定を解除することを特徴とする請求項５または６に記載のトリミング設定方法。
【請求項８】  トリミング解除後にトリミングを再設定する場合、前記表示工程では、解除前のトリミング設定情報に対応するトリミング枠を表示させることを特徴とする請求項７に記載のトリミング設定方法。
【手続補正３】
【補正対象書類名】明細書
【補正対象項目名】０００１
【補正方法】変更
【補正の内容】
【０００１】
【発明の属する技術分野】
本発明は、プリンタと通信可能であり、撮像した画像を前記プリンタにより印刷するための制御を行うデジタルカメラおよびトリミング設定方法に関する。
【手続補正４】
【補正対象書類名】明細書
【補正対象項目名】０００５
【補正方法】変更
【補正の内容】
【０００５】
本発明の目的は、撮像した画像をトリミングしてプリントする際の使い勝手を向上させることができるデジタルカメラおよびトリミング設定方法を提供することにある。
【手続補正５】
【補正対象書類名】明細書
【補正対象項目名】０００６
【補正方法】変更
【補正の内容】
【０００６】
【課題を解決するための手段】
本発明は、プリンタと通信可能であり、撮像した画像を前記プリンタにより印刷するための制御を行うデジタルカメラであって、撮像した画像を記録媒体に記録する記録手段と、前記記録手段に記録されている画像の中から印刷対象の画像を選択する画像選択手段と、画像を表示するための表示手段と、トリミング設定が選択された場合に、トリミング領域を示すトリミング枠を前記印刷対象の画像に重ねて前記表示手段に表示させる表示制御手段と、前記トリミング枠の拡大または縮小を指示するための操作部材と、決定されたトリミング枠に関するトリミング設定情報を保持する保持手段と、最大の大きさのトリミング枠を前記表示手段に表示している状態で、トリミング枠拡大のための操作がされた場合は、トリミング設定を解除する制御手段とを有することを特徴とする。
【手続補正６】
【補正対象書類名】明細書
【補正対象項目名】０００７
【補正方法】変更
【補正の内容】
【０００７】
本発明は、記録手段に記録されている画像の中から印刷対象の画像を選択する画像選択工程と、トリミング設定が選択された場合に、トリミング領域を示すトリミング枠を前記印刷対象の画像に重ねて表示手段に表示させる表示工程と、決定されたトリミング枠に関するトリミング設定情報を保持手段に保持する保持工程と、最大の大きさのトリミング枠を前記表示手段に表示している状態で、トリミング枠拡大のための操作がされた場合は、トリミング設定を解除する制御工程とを有することを特徴とする。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００５５
【補正方法】変更
【補正の内容】
【００５５】
【発明の効果】
以上説明したように、本発明によれば、撮像した画像をトリミングしてプリントする際の使い勝手を向上させることができる。
【手続補正１８】
【補正対象書類名】明細書
【補正対象項目名】００５６
【補正方法】削除
【補正の内容】